(57)【要約】【課題】スライドを補助するためのバネの干渉を回避し、スムーズなスライドを実現することが可能なスライド開閉式電子機器を提供すること。【解決手段】  第１の部分１，８と、第１の部分に対しスライドが可能でかつスライドの前後で第１の部分に対する角度が変化する第２の部分２，１０と、第１の部分に固定された第１の固定部１２と、第２の部分に固定された第２の固定部１３と、第１及び第２の固定部間に接続された、スライドを補助するためのバネ１１とを含む。バネは、第１の固定部に係合した第１の端部１１ａと、第２の固定部に係合した第２の端部１１ｂとを有する。第２の固定部は、第１の端部に自由な移動を許すように第２の端部を緩く保持している。【選択図】図４
2010154155.tif 000002
【特許請求の範囲】
【請求項１】
第１の部分と、前記第１の部分に対しスライドが可能でかつ前記スライドの前後で前記第１の部分に対する角度が変化する第２の部分と、前記第１の部分に固定された第１の固定部と、前記第２の部分に固定された第２の固定部と、前記第１及び第２の固定部間に接続された、前記スライドを補助するためのバネとを含み、前記バネは、前記第１の固定部に係合した第１の端部と、前記第２の固定部に係合した第２の端部とを有し、前記第２の固定部は、前記第１の端部に自由な移動を許すように前記第２の端部を緩く保持していることを特徴とする電子機器。
【請求項２】
前記第２の固定部は、前記第２の部分から突出した軸部と、前記軸部から径方向に広がりかつ前記第２の部分から離間したフランジ部とを有し、前記第２の端部は、前記第２の部分と前記フランジ部との間にクリアランスをもって配置されかつ前記軸部に係合している、請求項１に記載の電子機器。
【請求項３】
さらに、前記クリアランスに配されて前記第２の端部の位置を弾力的に安定させる安定化部材を含む、請求項２に記載の電子機器。
【請求項４】
前記第１の固定部は、前記第１の端部をしっかりと固定している、請求項１−３のいずれか一項に記載の電子機器。
【請求項５】
前記第１の固定部は、前記第２の端部に自由な移動を許すように前記第１の端部を緩く保持している、請求項１−３のいずれか一項に記載の電子機器。
【請求項６】
前記第１の固定部は、前記第１の部分から突出した軸部と、前記第１の固定部の軸部から径方向に広がりかつ前記第１の部分から離間したフランジ部とを有し、前記第１の端部は、前記第１の部分と前記第１の固定部のフランジ部との間にクリアランスをもって配置されかつ前記第１の固定部の軸部に係合している、請求項５に記載の電子機器。
【請求項７】
前記第２の固定部は、前記第２の部分に交差する軸心周りで回転可能な固定ピンを有し、前記固定ピンは軸心に交差してのびた係合部を有し、前記第２の端部は前記係合部に回動可能に係合している、請求項１に記載の電子機器。
【請求項８】
前記第１の固定部は、前記第１の端部をしっかりと固定している、請求項７に記載の電子機器。
【請求項９】
前記第１の固定部は、前記第２の端部に自由な移動を許すように前記第２の端部を緩く保持している、請求項７に記載の電子機器。
【請求項１０】
前記第１の固定部は、前記第１の部分に交差する軸心周りで回転可能な固定ピンを有し、前記第１の固定部の固定ピンは軸心に交差してのびた係合部を有し、前記第１の端部は前記第１の固定部の係合部に回動可能に係合している、請求項９に記載の電子機器。
【請求項１１】
前記第１の部分と前記第２の部分は、曲面に沿ってスライドするものである、請求項１−１０のいずれか一項に記載の電子機器。
【発明の詳細な説明】
【技術分野】
【０００１】
本発明は、スライド機構を有する携帯電話機などの電子機器に関する。
【背景技術】
【０００２】
この種の電子機器として、現在、折り畳み式携帯電話機やスライド開閉式携帯電話機が数多く市場に出ている。スライド開閉式携帯電話機は互いに直線的にスライド可能な二つの部分を含んでいる。一方の部分は画像などを表示する表示部を備えている。他方の部分は、一方の部分のスライドにより開閉される操作部を備えている。
【０００３】
二つの部分間には、これらのスライドを補助するためのバネが備えられることがある。このバネは両端を二つの部分にそれぞれしっかりと固定されている。スライドにより操作部を途中まで開く（閉じる）と、それ以降はバネの作用により自動的にスライドして操作部を開く（閉じる）ことができる。したがって、二つの部分間でスライドが直線的になされる場合には、バネは二つの部分に対して並行な状態が常に保持されるので、スライドを効果的に補助することを期待できる。
【発明の開示】
【発明が解決しようとする課題】
【０００４】
折り畳み式携帯電話機では、その構造上、通話時に口とマイク部とを近づけることが容易である。一方、スライド開閉式の携帯電話機においては、折り畳み式の携帯電話機と異なり、通話時に口とマイク部とが比較的遠くに離れてしまいやすいという問題をもつ。
【０００５】
そこで、発明者等は、通話時に口とマイク部が近づくように二つの部分がカーブしながらスライドする携帯電話機の開発に努めた。その際、二つの部分間に備えたバネの挙動が、カーブしながらスライドする場合には直線的にスライドする場合と異なることが分かった。即ち、カーブしながらスライドする場合には、バネが二つの部分に対して斜めになることがある。したがって、カーブしながらスライドする場合に、直線的にスライドする場合と同じようにバネを固定すると、バネとバネを固定している部分とが干渉し、スムーズなスライドを阻害する虞がある。
【０００６】
それ故に本発明の例示的課題は、スライドを補助するためのバネの干渉を回避し、スムーズなスライドを実現することが可能なスライド開閉式電子機器を提供することにある。
【課題を解決するための手段】
【０００７】
本発明の例示的態様によれば、第１の部分と、前記第１の部分に対しスライドが可能でかつ前記スライドの前後で前記第１の部分に対する角度が変化する第２の部分と、前記第１の部分に固定された第１の固定部と、前記第２の部分に固定された第２の固定部と、前記第１及び第２の固定部間に接続された、前記スライドを補助するためのバネとを含み、前記バネは、前記第１の固定部に係合した第１の端部と、前記第２の固定部に係合した第２の端部とを有し、前記第２の固定部は、前記第１の端部に自由な移動を許すように前記第２の端部を緩く保持していることを特徴とする電子機器が得られる。
【発明の効果】
【０００８】
本発明の例示的態様によれば、スライドを補助するためのバネの干渉を回避し、スムーズなスライドを実現することが可能なスライド開閉式電子機器を提供できる。
【発明を実施するための最良の形態】
【０００９】
図１及び図２を参照して、本発明の例示的実施形態に係る電子機器として、スライド開閉式携帯電話機の構造について先ず説明する。
【００１０】
図１において、スライド開閉式携帯電話機は、カーブしながらスライド開閉する表示筐体１及び操作筐体２を含んでいる。表示筐体１は画像を表示するための表示部３を備えている。操作筐体２は複数のボタンを有する操作部４を備えている。なお、操作筐体２は、互いに結合された上ケース５と下ケース６とを含んでいる。
【００１１】
携帯電話機の分解図を示す図２において、表示筐体１と操作筐体２との間にスライドユニット部７が備えられている。スライドユニット部７は、表示筐体１に取り付けられるレールプレート８と、操作筐体２の上ケース５に取り付けられるフレーム１０と、フレーム１０の両端にそれぞれ取り付けられる二つのスライダ９とを含んでいる。レールプレート８がスライダ９に係合することで、表示筐体１及び操作筐体２が互いにスライド可能にされる。レールプレート８のスライダ９に係合する部分がカーブしているので、携帯電話機を開閉する際にはカーブしながらスライドすることになる。なお、各スライダ９は、スライド動作をスムーズにするために滑り易い材質で作製されている。
【００１２】
スライドユニット部７は、さらに、スライドを補助するためのバネ１１を含んでいる。バネ１１の一方の端即ち第１の端部１１ａは、レールプレート８に固定された第１の固定部として働く第１の固定ピン１２に係合する。バネ１１の他方の端即ち第２の端部１１ｂは、フレーム１０に固定された第２の固定部として働く第２の固定ピン１３に係合する。このバネ１１があることにより、スライド閉状態から表示筐体１を開いていくと、縮められたバネが伸びる力により途中から自動的に全開する。同様にスライド開状態から表示筐体２を閉めていくと、途中から自動的に全閉する。
【００１３】
ここで、表示筐体１とレールプレート８とを合わせて第１の部分と呼び、操作筐体２とスライダ９とフレーム１０とを合わせて第２の部分と呼ぶ。この場合、バネ１１の第１の端部１１ａは第１の固定ピン１２により第１の部分に取り付けられ、バネ１１の第２の端部１１ｂは第２の固定ピン１３により第２の部分に取り付けられことになる。
【００１４】
図３を参照して、バネ１１の取り付け形態について説明する。
【００１５】
第１の固定ピン１２は、レールプレート８から突出した軸部１２ａと、軸部１２ａから径方向に広がりかつレールプレート８から離間した頭部又はフランジ部１２ｂとを有している。そして、バネ１１の第１の端部１１ａは、レールプレート８とフランジ部１２ｂとの間に挟まれて軸部１２ａに係合している。したがって、第１の固定ピン１２は、バネ１１の第１の端部１１ａをしっかりと固定している。
【００１６】
また、第２の固定ピン１３は、フレーム１０から突出した軸部１３ａと、軸部１３ａから径方向に広がりかつフレーム１０から離間した頭部又はフランジ部１３ｂとを有している。そして、バネ１１の第２の端部１１ｂは、フレーム１０とフランジ部１３ｂとの間に軸方向クリアランスをもって配置されかつ軸部１３ａに係合している。こうして、第２の固定ピン１３は、バネ１１の第１の端部１１ａに自由な移動を許すように第２の端部１１ｂを緩く保持している。
【００１７】
図３と共に図４をも参照して、上述したスライド開閉式携帯電話機の動作について説明する。
【００１８】
図３（ａ）及び（ｂ）に示す携帯電話機の閉状態では、図３（ｃ）のようにバネ１１は第２の固定ピン１３のフランジ部１３ｂに対してほぼ平行となっている。しかし、図４（ａ）及び（ｂ）に示す携帯電話機の開状態になると、図４（ｃ）のようにバネ１１は第２の固定ピン１３のフランジ部１３ｂに対して角度をもって傾斜した姿勢になる。
【００１９】
仮に第２の固定ピン１３のフランジ部１３ｂにバネ１１が強く当るとスライド開閉動作がスムーズにならない虞がある。しかし、ここでは第２の固定ピン１３の高さを高くすることで、携帯電話機の開状態でバネ１１が斜めになっても第２の固定ピン１３のフランジ部１３ｂがバネ１１に当らないようにしている。したがって、スムーズな開閉動作を実現できる。
【００２０】
また、第１の固定ピン１２は高さが低いためバネ１１の位置が安定し、バネ１１がガタつきにより筐体など他の部品に当ったり、振動などでバネがカタカタと音を立てたり、といった不具合は起こらない。
【００２１】
さらに、上述した軸方向クリアランスにバネ製をもつワッシャーなどの安定化部材（図示せず）を配し、バネ１１の第２の端部１１ｂの位置を弾力的に安定させることは好ましい。
【００２２】
また、第１の固定ピン１２もバネ１１の第２の端部１１ｂに自由な移動を許すように第１の端部１１ａを緩く保持してもよい。その場合、バネ１１の第１の端部１１ａは、レールプレート８と第１の固定ピン１２のフランジ部１２ｂとの間に軸方向クリアランスをもって配置され、かつ、第１の固定ピン１２の軸部１２ａに係合される。
【００２３】
図３及び図４と共に図５をも参照して、他の変形例について説明する。
【００２４】
図５において、第２の固定ピン１３は、フレーム１０に交差する、好ましくは、直交する軸心１４の周りで矢印で示すように回転可能な状態でフレーム１０に固定されている。この場合、第２の固定ピン１３は軸心に交差して、好ましくは、直交してのびた係合部として働く貫通孔１３ｂを有している。バネ１１の第２の端部１１ｂは貫通孔１３ｂに挿入され、ここに回動可能に係合している。こうして、バネ１１の第１の端部１１ａに自由な移動を許すように第２の端部１１ｂを緩く保持している。
【００２５】
同様な構造を、また、第１の固定ピン１２及びバネ１１の第１の端部１１ａとの間にも採用し、バネ１１の第２の端部１１ｂに自由な移動を許すように第１の端部１１ａを緩く保持してもよい。
【００２６】
勿論、第１の固定ピン１２がバネ１１の第１の端部１１ａをしっかりと固定していてもよい。
【００２７】
上述では、カーブしながらスライド開閉する携帯電話機について説明したが、図６に白抜き矢印で順次示すように直線的にスライドした後に角度が付くなど、最終的に表示筐体と操作筐体との間に角度が生じるスライド機構を有する携帯電話機であれば、同様に適用できる。
【００２８】
また、上述した構造の様々な組み合わせが可能であることはいうまでもない。
【産業上の利用可能性】
【００２９】
本発明は、携帯電話機に限らず、ビデオカメラ、デジタルカメラなどの他の種の電子機器にも広く適用できる。
【図面の簡単な説明】
【００３０】
【図１】本発明の例示的実施形態に係る電子機器としてのスライド開閉式携帯電話機を示し、（ａ）は閉状態の斜視図であり、（ｂ）は開状態の斜視図である。
【図２】図１のスライド開閉式携帯電話機の分解斜視図である。
【図３】図１のスライド開閉式携帯電話機の閉状態の内部構造の要部を示し、（ａ）は側面から透視したイメージ図であり、（ｂ）は底面から透視したイメージ図であり、（ｃ）は（ａ）の要部のみの拡大図である。
【図４】図１のスライド開閉式携帯電話機の開状態の内部構造の要部を示し、（ａ）は側面から透視したイメージ図であり、（ｂ）は底面から透視したイメージ図であり、（ｃ）は（ａ）の要部のみの拡大図である。
【図５】図１に示したスライド開閉式携帯電話機の変形例を説明するための要部のみのイメージ図である。
【図６】スライド開閉式携帯電話機の他の形態のスライドを説明するための動作イメージ図である。
【符号の説明】
【００３１】
１  表示筐体
２  操作筐体
３  表示部
４  操作部
５  上ケース
６  下ケース
７  スライドユニット部
８  レールプレート
９  スライダ
１０  フレーム
１１  バネ
１１ａ  第１の端部
１１ｂ  第２の端部
１２  第１の固定ピン
１２ａ  軸部
１２ｂ  フランジ部
１３  第２の固定ピン
１３ａ  軸部
１３ｂ  フランジ部
１４  軸心
【図１】
2010154155.tif 000003
【図２】
2010154155.tif 000004
【図３】
2010154155.tif 000005
【図４】
2010154155.tif 000006
【図５】
2010154155.tif 000007
【図６】
2010154155.tif 000008
【手続補正書】
【提出日】平成21年12月10日(2009.12.10)
【手続補正１】
【補正対象書類名】特許請求の範囲
【補正対象項目名】全文
【補正方法】変更
【補正の内容】
【特許請求の範囲】
【請求項１】
第１の部分と、前記第１の部分に対しスライドが可能でかつ前記スライドの前後で前記第１の部分に対する角度が変化する第２の部分と、前記第１の部分に固定された第１の固定部と、前記第２の部分から突出した軸部と、前記軸部から径方向に広がりかつ前記第２の部分から離間したフランジ部とを有する第２の固定部と、前記第１及び第２の固定部間に接続された、前記スライドを補助するためのバネとを含み、前記バネは、前記第１の固定部に係合した第１の端部と、前記第２の固定部に係合した第２の端部とを有し、前記第２の端部は、前記第２の部分と前記のフランジ部との間に隙間をもって、前記フランジ部に対して角度をもって傾斜姿勢可能に配置されることを特徴とする電子機器。
【請求項２】
さらに、前記隙間に配されて前記第２の端部の位置を弾力的に安定させる安定化部材を含むことを特徴とする請求項１に記載の電子機器。
【請求項３】
前記第１の固定部は、前記第２の固定部よりも高さが低く、前記第１の端部の位置を安定させていることを特徴とする請求項１又は２に記載の電子機器。
【請求項４】
前記第１の固定部は、前記第１の部分から突出した第１の部分の軸部と、前記第１の固定部の軸部から径方向に広がりかつ前記第１の部分から離間した第１の固定部のフランジ部とを有し、前記第１の端部は、前記第１の部分と前記第1の固定部のフランジ部との間に隙間をもって、前記第1の固定部のフランジ部に対して角度を持って傾斜姿勢可能に配置されることを特徴とする請求項１−３のいずれか一項に記載の電子機器。
【請求項５】
前記第２の端部は、スライド後傾斜したとき、前記フランジ部に当らないことを特徴とする請求項１−４のいずれか一項に記載の電子機器。
【請求項６】
第１の部分と、前記第１の部分に対しスライドが可能でかつ前記スライドの前後で前記第１の部分に対する角度が変化する第２の部分と、前記第１の部分に固定された第１の固定部と、前記第２の部分に交差する軸心周りで回転可能な固定ピンを有する第２の固定部と、前記第１及び第２の固定部間に接続された、前記スライドを補助するためのバネとを含み、前記固定ピンは軸心に交差してのびた係合部を有し、前記バネは、前記第１の固定部に係合した第１の端部と、前記係合部に回動可能に係合した第２の端部とを有し、前記第２の端部は、前記係合部に対して角度を持って傾斜姿勢可能に配置されることを特徴とする電子機器。
【請求項７】
前記第１の固定部は、前記第１の部分に交差する軸心周りで回転可能な固定ピンを有し、
前記第１の固定部の固定ピンは軸心に交差してのびた係合部を有し、前記第１の端部は前記第１の固定部の係合部に回動可能に係合している、請求項６に記載の電子機器。
【請求項８】
前記第１の部分と前記第２の部分は、曲面に沿ってスライドするものである、請求項１−７のいずれか一項に記載の電子機器。
【手続補正２】
【補正対象書類名】明細書
【補正対象項目名】０００７
【補正方法】変更
【補正の内容】
【０００７】
本発明の例示的態様によれば、第１の部分と、前記第１の部分に対しスライドが可能でかつ前記スライドの前後で前記第１の部分に対する角度が変化する第２の部分と、前記第１の部分に固定された第１の固定部と、前記第２の部分から突出した軸部と、前記軸部から径方向に広がりかつ前記第２の部分から離間したフランジ部とを有する第２の固定部と、前記第１及び第２の固定部間に接続された、前記スライドを補助するためのバネとを含み、前記バネは、前記第１の固定部に係合した第１の端部と、前記第２の固定部に係合した第２の端部とを有し、前記第２の端部は、前記第２の部分と前記のフランジ部との間に隙間をもって、前記フランジ部に対して角度をもって傾斜姿勢可能に配置されることを特徴とする電子機器が得られる。
本発明の他の例示的態様によれば、第１の部分と、前記第１の部分に対しスライドが可能でかつ前記スライドの前後で前記第１の部分に対する角度が変化する第２の部分と、前記第１の部分に固定された第１の固定部と、前記第２の部分に交差する軸心周りで回転可能な固定ピンを有する第２の固定部と、前記第１及び第２の固定部間に接続された、前記スライドを補助するためのバネとを含み、前記固定ピンは軸心に交差してのびた係合部を有し、前記バネは、前記第１の固定部に係合した第１の端部と、前記係合部に回動可能に係合した第２の端部とを有し、前記第２の端部は、前記係合部に対して角度を持って傾斜姿勢可能に配置されることを特徴とする電子機器が得られる。